【事件の表示】
　平成　９年特許願第　８６２４７号「全熱交換型換気装置」拒絶査定不服審判事件〔平成１０年１０月２３日出願公開、特開平１０−２８１５２３〕について、次のとおり審決する。
【結　論】
　本件審判の請求は、成り立たない。
【理　由】
１．手続の経緯
（１）本願は、平成９年４月４日の出願である。
（２）本願は、平成１６年１月１３日付け（発送日：同月２０日）で拒絶査定されたが、これに対し、同年２月１９日に拒絶査定不服審判の請求がなされた。
（３）本願は、平成１６年３月１９日付けで手続補正がなされたが、当該手続補正は、平成１７年５月３１日付け（発送日：同年６月１４日）で却下された。
（４）本願は、平成１７年６月１７日付け（発送日：同月２１日）で拒絶理由が通知されたが、これに対して、同年８月２２日付けで手続補正がなされた。
　
２．本願発明
　本願の請求項１に係る発明（以下、「本願発明」という。）は、平成１７年８月２２日付けで補正された特許請求の範囲の請求項１に記載された次のとおりのものである。
　
　　【請求項１】
　天井裏に設置される箱型のケーシング（１１）の天井側の第１の面に、還気口（２３）を設けたフロントパネル（２２）を取り付け、上記フロントパネルに対して直交する関係にある第２の面に外気吸入口（２０）と排気口（２１）とを設け、上記第２の面に対向する第３の面に複数の室内給気口（２４）を形成し、上記ケーシングの内部には、上記外気吸入口（２０）及び排気口（２１）に対向して熱交換器（１５）を取り付け、上記外気吸入口（２０）と上記室内給気口（２４）との間には、モータ（１２）を挟んでその上下に配置した第１の送風機（１３）と第２の送風機（１４）が対向して設置されており、上記ケーシング（１１）の内部が、外気給入口（２０）からの外気がフィルタ（２５）を通り、熱交換器（１５）を通って、第１の送風機（１３）に入り込み、該第１の送風機（１３）によって複数の室内給気口（２４）から複数の室内に給気されるように、構成されると共に、上記モータ（１２）に対して上記第１の送風機の反対側に配置された第２の送風機（１４）が、複数の室内を循環した空気をフロントパネル（２２）の還気口（２３）から取り入れ、前記空気がフィルタ（２６）を通り、前記熱交換器（１５）を通って、前記第２の送風機（１４）に入り、前記排気口（２１）から室外へと排出するように、構成されていることを特徴とする全熱交換型換気装置。
　
３．引用例に記載された発明 
　本願出願前に頒布された刊行物であって、当審における平成１７年６月１７日付拒絶理由通知書で引用した特開平６−８２０７３号公報（以下「引用例１」という。）には、図面とともに次の記載がある。 
　
 （ア）「本発明は上記不具合に鑑みてなされたものであり、空気の流れがよく、しかも、熱交換効率の高い天井埋込形熱交換器を提供することを目的としている。」（段落【０００７】） 
 （イ）「そこで本発明は、組立作業性のよい天井埋込形熱交換器を提供することをも目的としている。」（段落【０００８】） 
 （ウ）「・・・・本実施例の天井埋込形熱交換器は、箱型に形成されたハウジング１１を備えている。ハウジング１１は、天井板Ｓによって室内空間Ｓ１と仕切られた天井空間Ｓ２内に、下向きに開いた姿勢で配設されている。・・・・ハウジング１１の一側面には、一対のダクト継手ＯＡ、ＥＡが形成されている。両ダクト継手ＯＡ、ＥＡは、図外の配管を介して外部と連通している。そして、一方のダクト継手（本実施例ではダクト継手ＯＡ）は、室外の空気をハウジング１１内に導入するためのものであり、他方のダクト継手（本実施例ではダクト継手ＥＡ）は、室内空間Ｓ１の空気をハウジング１１内から室外に排出するためのものである。」（段落【００１３】） 
 （エ）「上記ハウジング１１の内部には、エレメント組立体２０及び送風機３０が配設されている。 
 上記エレメント組立体２０は、ハウジング１１内に概ね水平に延びる姿勢で配設される熱交換エレメント２１を備えている。・・・・そして、熱交換エレメント２１の側面には、熱交換されるべき空気の一方を流通させる第１の流通口２１ａと、他方の空気を流通させる第２の流通口２１ｂとが形成されており、当該熱交換エレメント２１の配設時において、各流通口２１ａ、２１ｂが上下に並んでいる（図１参照）。」（段落【００１４】） 
 （オ）「上記送風機３０は、ファンロータ組立体Ａにファンケーシング３１、３２を組み合わせてユニット化したものである。 
 より詳細に説明すると、上記ファンロータ組立体Ａは、モータＡ１、及びモータＡ１の回転軸Ａ２の両端に固定されたファンロータＡ３、Ａ４、上記モータＡ１を支持するモータ固定板Ａ５を備えており、両ファンロータＡ３、Ａ４を回転駆動することによって熱交換されるべき室内空間Ｓ１の空気と室外の空気をそれぞれ熱交換エレメント２１に流通させるためのものである。」（段落【００１６】） 
 （カ）「上記ファンロータＡ３、Ａ４のうち、給気側（図１において上側）のファンロータＡ３は、給気側ファンケーシング３１によって覆われている。この給気側ファンケーシング３１は、例えば樹脂等で形成されており、当該ファンロータＡ３を収容すると共に給気側のファン室を構成する凹部３１ａと、凹部３１ａを給気側のダクト継手ＯＡと連通する連通用フランジ３１ｂとを備えている。上記凹部（給気側ファン室）３１ａは、エレメントケース２２の凹部２２ｂを介して熱交換エレメント２１の流路Ｐ１の上流側と連通している。」（段落【００１８】） 
 （キ）「他方、排気側（図１において下側）のファンロータＡ４は、排気側ファンケーシング３２によって覆われている。この排気側ファンケーシング３２は、ファンケーシング３２と同材質により構成されており、当該ファンロータＡ４を収容すると共にファン室を構成する凹部３２ａと、凹部３２ａを室内空間Ｓ１側に連通する連通用孔３２ｂとを備えている。そして、上記凹部（排気側ファン室）３２ａは、熱交換エレメント２１の流路Ｐ２の上流側と連通している。」（段落【００１９】） 
 （ク）「エレメント組立体２０及び送風機３０をハウジング１１内に保持するために、ハウジング１１の下部には、支持部材４０が配設されている。」（段落【００２０】） 
 （ケ）「支持部材４０の下方には、パネル５０が配設されている（図１のみ図示）。このパネル５０は、室内空間Ｓ１に面しており、ハウジング１１の開口外周部分を、支持部材４０に固定された仕切り部材４４と共に、給気口５１と排気口５２とを区画するものであり、一対の金具５３、５４を介してハウジング１１の端面と天井板Ｃ１との接続部分を覆う化粧パネル５５に対し、着脱自在に固定されている。」（段落【００２１】） 
 （コ）「上記構成によれば、送風機３０が作動することにより、室外の空気が図外の配管を介して給気側のダクト継手ＯＡからハウジング１１内に導入され、この空気は、給気側のファンケーシング３１のファン室（凹部３１ａ）からエレメントケース２２の凹部２２ｂを介して熱交換エレメント２１の流路Ｐ１に導入され、さらに、パネル５０により区画されている給気口５１を通って室内空間Ｓ１に供給される。他方、室内空間Ｓ１の空気は、パネル５０により区画されている排気口５２から支持部材４０の挿通孔４１ａ及び連通用孔３２ｂを通って排気側のファンケーシング３２のファン室（凹部３２ａ）内に導入され、上記ファン室から熱交換エレメント２１の第２の流路Ｐ２を通り、さらにエレメントケース２２の連通口２２ｃ及び連通用フランジ２２ｄから排気用ダクト継手ＥＡを通り図外の配管を介して室外に排出される。そして、上記動作中、熱交換エレメント２１の第１の流路Ｐ１を通る空気と第２の流路Ｐ２を通る空気との間で熱交換が行なわれ、室内空間Ｓ１の温度が、概ね一定に保たれる。」（段落【００２２】） 
 
　上記記載事項（ア）ないし（コ）及び図面が図示するところによれば、引用例１には次の発明が記載されているものと認められる（以下「引用例発明１」という。）。 
　
［引用例発明１］
　天井空間内に設置される箱形のハウジング１１の室内空間側の面に排気口５２を設けたパネル５０を取り付け、上記パネル５０に対して直交する一側面にダクト継手ＯＡとダクト継手ＥＡとを設け、パネル５０に給気口５１を形成し、上記ハウジング１１の内部には、熱交換エレメント２１を取り付け、上記ダクト継手ＯＡと上記給気口５１との間には、モータＡ１を挟んでその上下にファンロータＡ３とファンロータＡ４が対向して設置されており、上記ハウジングの内部が、ダクト継手ＯＡからの外気が、ファンロータＡ３を通って熱交換エレメント２１に入り込み、ファンロータＡ３によって給気口５１から室内に給気されるように、構成されるとともに、上記モータＡ１に対して上記ファンロータＡ３の反対側に配置されたファンロータＡ４が、室内を循環した空気をパネル５０の排気口５２から取り入れ、前記空気が、ファンロータＡ４を通って、熱交換エレメント２１に入り、熱交換エレメント２１を介して前記ダクト継手ＥＡから室外へと排出する天井埋込形熱交換器。 
　
　また、本願出願前に頒布された刊行物であって、同じく、当審における平成１７年６月１７日付拒絶理由通知書で引用した特開平８−２２６６６８号公報（以下「引用例２」という。）には、図面とともに次の記載がある。 
 　 
 （サ）「換気ユニット部４は、・・・・排気ファン１０、該排気ファン１０の吹き出し口側に全熱交換器１１、排気ダクト接続口１２を有する室内空気排気部を設けると共に、外気導入ダクト接続口１５、この外気導入ダクト接続口１５に対向して設けられた外気導入ファン１４、この外気導入ファン１４の吹き出し口側に設けられ、排気空気と交差するように構成されて全熱交換器１１、・・・・外気導入部が設けられている。」（段落【００３１】） 
 （シ）「・・・・吸い込みチャンバー８は、図２に示すようにその真下に室内空気を吸い込む吸い込みダクト１７、この吸い込みダクト１７の先端（室内天井面）に取り付けられた吸い込みグリル１８、吸い込みグリル１８の裏側に近接して設けられたフィルター１９を有する。・・・・」（段落【００３２】） 
 （ス）「・・・・反第２の仕切板３側の端部には複数の吹き出しダクト接続口２５が配設されている。・・・・」（段落【００３４】） 
 （セ）「実施例１に示した天井埋込型換気空調ユニットを家屋の廊下天井裏に設置した実施例を図８により説明する。本体１は家屋の廊下天井裏に設置されており、換気ユニット部４に設けられた排気ダクト接続口１２と外気導入ダクト接続口１５に接続されたダクトにより建物の外壁に開口している。また、空調ユニット部５の吹出口に設けられた吹き出しチャンバー７の吹き出しダクト接続口２５からは、複数のダクトにより各室へ接続され各室の吹き出し口には風量可変装置付き吹き出し口５１を取り付けている。各室は廊下へ通じる空気流通用のガラリ４２を備え、さらに廊下天井部に本体１の下部に設けた吸い込みグリル１８及び本体１へ接続する吸い込みダクト１７が設置されている。」（段落【００４６】） 
 （ソ）「換気ユニット部４の排気ダクト接続口１２はダクトで外部に通じており、吸い込みグリル１８から吸い込んだ循環空気の一部を外部に排気する。さらに排気量と同量の新鮮な室外空気を外気導入ダクト接続口１５を通じて取り入れ、全熱交換器１１で排気空気と熱交換して、各室へ供給する空調空気へ混入する。一方、本体１から吹き出しダクト接続口２５を通じて吹き出された空調空気は、接続されたダクトにより各室へ導かれる。・・・・室内はこの吹き出し空気により空調されるが、室内と廊下との境界の壁やドアに設けたガラリ５２から室内空気は流出し、廊下天井部の吸い込みグリル１８へ吸い込まれ循環する。」（段落【００４７】） 
　
　上記引用例２の記載事項（サ）ないし（ソ）並びに第１図及び第２図の記載からみて、引用例２には次の発明が記載されているものと認められる（以下、「引用例発明２」という。）。
  　
［引用例発明２］
　吸い込みダクトに対して直交する関係にある第１の仕切板側の端部に外気導入ダクト接続口と排気ダクト接続口とを設け、第１の仕切板側の端部に対向する反第２の仕切板側の端部に複数の吹き出しダクト接続口を形成し、外気導入ダクト接続口及び排気ダクト接続口に対向して全熱交換器を取り付け、複数の吹き出しダクト接続口から複数の室内に給気されるように構成されるとともに、複数の室内を循環した空気を吸い込みダクトから取り入れ、排気ダクト接続口から室外へと排出するように構成されている天井埋込型換気空調ユニット。
　
４．対比・一致点・相違点
 　本願発明と引用例発明１とを対比すると、引用例発明１の「天井空間内」、「ハウジング１１」、「室内空間側の面」、「排気口５２」、「パネル５０」、「一側面」、「ダクト継手ＯＡ」、「ダクト継手ＥＡ」、「給気口５１」、「熱交換エレメント２１」、「モータＡ１」、「ファンロータＡ３」、「ファンロータＡ４」、「排気口５２」、「天井埋込形熱交換器」は、それぞれ本願発明の「天井裏」、「ケーシング（１１）」、「第１の面」、「環気口（２３）」、「フロントパネル（２２）」、「第２の面」、「外気吸入口（２４）」、「排気口（２１）」、「室内給気口（２４）」、「熱交換器（１５）」、「モータ（１２）」、「第１の送風機（１３）」、「第２の送風機（１４）」、「環気口（２３）」、「全熱交換型喚気装置」に相当する。 
　してみると、本願発明と引用例発明１の一致点及び相違点は、次のとおりのものと認められる。 
　
［一致点］ 
　天井裏に設置される箱型のケーシングの天井側の第１の面に、還気口を設けたフロントパネルを取り付け、上記フロントパネルに対して直交する関係にある第２の面に外気吸入口と排気口とを設け、室内給気口を形成し、上記ケーシングの内部には熱交換器を取り付け、上記外気吸入口と上記室内給気口との間には、モータを挟んでその上下に配置した第１の送風機と第２の送風機が対向して設置されており、上記ケーシングの内部が、外気給入口からの外気が第１の送風機によって室内給気口から室内に給気されるように、構成されると共に、上記モータに対して上記第１の送風機の反対側に配置された第２の送風機が、室内を循環した空気をフロントパネルの還気口から取り入れ、熱交換器を介して前記排気口から室外へと排出するように、構成されている全熱交換型換気装置。 
 　
［相違点］ 
（１）本願発明では、「第２の面に対向する第３の面」に「複数」の室内給気口が形成されているのに対して、引用例発明１では、「パネル」に室内給気口が形成されており、当該室内給気口が「複数」ではない点。 
（２）本願発明では、熱交換器が「外気吸入口及び排気口に対向」して取り付けられているのに対して、引用例発明１では、熱交換器が「外気吸気口及び排気口に対向」して取り付けられていない点。 
（３）本願発明では、「複数の」室内に給気されるのに対して、引用例発明１では、「複数」室内に給気されるものではない点。 
（４）本願発明では、フロントパネルの環気口から「複数の室内を循環した」空気を取り入れるのに対して、引用例発明１では、フロントパネルの環気口から取り入れる空気が「複数の室内を循環した」空気ではない点。 
（５）本願発明では、外気が「フィルタを通り、熱交換器を通って、第１の送風機に入り込み」室内に給気され、また「前記空気がフィルタを通り、前記熱交換器を通って、前記第２の送風機に入り」室外に排気されるのに対して、引用例発明１では、そのような構成はない点。
　
５．当審の判断
　上記のとおり認定した相違点について検討する。 
　相違点（１）に関しては、上記引用例発明２の「第１の仕切板側の端部に対向する反第２の仕切板側の端部に複数の吹き出しダクト接続口を形成」なる構成が、本願発明の「第２の面に対向する第３の面に複数の室内給気口が形成」なる構成に対応する。
　相違点（２）に関しては、上記引用例発明２の「外気導入ダクト接続口及び排気ダクト接続口に対向して全熱交換器を取り付け」なる構成が、本願発明の「外気吸入口及び排気口に対向して熱交換器を取り付け」なる構成に対応する。
　相違点（３）及び相違点（４）に関しても、上記引用例発明２の「複数の室内に給気される」点、および「複数の室内を循環した空気」を吸い込みダクトから取り入れる点が、それぞれ、本願発明の「複数の室内に給気される」点、および「複数の室内を循環した空気」をフロントパネルの環気口から取り入れる点に対応する。
　してみると、上記相違点（１）ないし（４）に係る事項は、すべて引用例２に記載されており、また、相違点（５）に関しては、外気を導入するとともに室内空気を排気する際に、外気が、フィルタを通り、熱交換器を通って、第１の送風機に入り込み、また、室内空気が、フィルタを通り、熱交換器を通って、第２の送風機に入り込むよう構成することは、従来周知の技術手段にすぎないものであり（例えば、特開平６−３０７６７０号公報や特開平６−３２３５７０号公報等を参照。）、さらに、引用例発明１及び引用例発明２並びに従来周知の技術は、全て、同じ技術分野に属するものであることを勘案すると、当業者が、上記引用例発明１に引用例発明２及び従来周知の技術を組み合わせることに格別の困難性は認められず、また、本願発明の作用効果を検討してみても、引用例発明１及び引用例発明２並びに従来周知の技術から当業者が予測し得た程度のものであって、本願発明が、格別顕著な効果を奏するものと認められないことから、本願発明は、引用例発明１、引用例発明２及び従来周知の技術に基づき、当業者が容易に発明をすることができたものというべきである。
　
　なお、請求人は平成１７年８月２２日付手続補正と同時に提出した意見書において、「引用文献２は、明らかに平面的にも大型の換気装置であり、しかも、ファンの回転軸は水平方向を向いていて厚さも相当なものであり、左右方向に狭いのみならず上下方向に狭い天井空間に設置するために換気装置全体を扁平に構成するという課題意識はありません。・・・・引用文献２において装置全体を薄型化するという発想や狙いは感じられません。・・・・引用文献２のフロントパネルはしかも天井から下側に突出しており、高さの解消は考慮してません。」と主張するが、引用例発明１及び引用例発明２のいずれも、家屋の天井裏に設置される換気装置に係る発明であって、当該技術分野においては、その設置場所が限定されていることから、装置の小型化は自明の課題といえるものであり、また、引用例発明２におけるファンの回転軸の向きや吸い込みダクトの形状が、引用例発明１と引用例発明２とを組み合わせることを阻害する要因になるともいえないから、上記の請求人の主張を採用することはできない。
　また、請求人は「更に、「複数の室内給気口が設けられている」とはいうものの、この複数の室内給気口は空調用熱交換器１６からの冷却空気を吸引するファン２０から冷却空気の給気口であり、・・・・この点引用文献２はファン１４からの空気を全熱交換器１１からチャンバー８を介して吸い込みダクト１７から供給することも考えられますが、この場合「複数の外気供給口」ということにはなりません。」と主張するが、引用例２の段落【００４７】には「・・・・さらに排気量と同量の新鮮な室外空気を外気導入ダクト接続口１５を通じて取り入れ、全熱交換機１１で排気空気と熱交換して、各室へ供給する空調空気に混入する。一方、本体１から吹き出しダクト接続口２５を通じて吹き出された空調空気は、接続されたダクトにより各室に導かれる。」と記載されており、請求人の主張は、当該記載を看過したものといわざるを得ず、採用できない。
　
６．むすび 
　以上のとおり、本願発明は引用例発明１、引用例発明２及び従来周知の技術に基づき当業者が容易に発明をすることができたものであるから、特許法第２９条第２項の規定により特許を受けることができない。
　よって、結論のとおり審決する。